(57)【要約】      （修正有）【課題】夜間照明時においても基板材の背景が金属調に見えるようにする照明装置を提供する。【解決手段】透過照明が可能な表示部２を有する透明な基板材３と、この基板材３の裏面側に配設された照明用光源４と、を備えた照明装置１で、表示部２が、基板材３の手前面側に形成された透光性の照明部１１と、この照明部１１の周囲を取り囲む不透光性の縁取部１２と、照明部１１および縁取部１２の裏面側に形成された半透光性の透過反射層１３と、を有し、表示部２の裏側に半透光性の透過反射層１３が形成され、更に、基板材３の裏面側に、不透光性または半透光性の金属調反射層１４が、照明部１１と対向する光透過部１５を除いて形成される。【選択図】図２
2015145964.tif 000002
【特許請求の範囲】
【請求項１】
透過照明が可能な表示部を有する透明な基板材と、
該基板材の裏面側に配設された照明用光源と、を備えた照明装置において、
前記表示部が、前記基板材の手前面側に形成された透光性の照明部と、該照明部の周囲を取り囲む不透光性の縁取部と、を有すると共に、前記表示部の裏側に半透光性の透過反射層が形成され、
更に、前記基板材の裏面側に、不透光性または半透光性の金属調反射層が、前記照明部と対向する光透過部を除いて形成されたことを特徴とする照明装置。
【請求項２】
請求項１に記載の照明装置であって、
前記縁取部が、前記基板材の板厚よりも大きい幅寸法を有することを特徴とする照明装置。
【請求項３】
請求項１または請求項２に記載の照明装置であって、
前記基板材の手前面または前記透過反射層に、基板材の裏面側へ向けて反射された光を拡散させる光拡散部を設けたことを特徴とする照明装置。
【発明の詳細な説明】
【技術分野】
【０００１】
この発明は、照明装置に関するものである。
【背景技術】
【０００２】
自動車などの車両には、車室内に計器装置が設けられている。この計器装置は、夜間照明や加飾照明が可能な照明装置とされている（例えば、特許文献１参照）。
【０００３】
この照明装置は、少なくとも、透過照明が可能な表示部を有する透明な基板材と、この基板材の裏面側に配設された照明用光源と、を備えたものとされている。
【先行技術文献】
【特許文献】
【０００４】
【特許文献１】特開２００８−２０２９４号公報
【発明の概要】
【発明が解決しようとする課題】
【０００５】
しかしながら、上記照明装置には、以下のような問題があった。
即ち、加飾のために、基板材の表示部以外の背景色を金属調にすること（例えば、基板材に金属調の背景印刷を施すこと）が行われている。しかし、このようにした場合でも、昼間は外光によって基板材全体が照らされるため基板材の背景が金属調に見えるものの、夜間照明時には基板材全体を照明する光源が特に存在していないため、基板材の背景が暗くなってしまい、基板材の背景を金属調に見せることはできなかった。
【０００６】
そこで、本発明は、上記した問題点を解決することを、主な目的としている。
【課題を解決するための手段】
【０００７】
上記課題を解決するために、本発明は、
透過照明が可能な表示部を有する透明な基板材と、
該基板材の裏面側に配設された照明用光源と、を備えた照明装置において、
前記表示部が、前記基板材の手前面側に形成された透光性の照明部と、該照明部の周囲を取り囲む不透光性の縁取部と、を有すると共に、前記表示部の裏側に半透光性の透過反射層が形成され、
更に、前記基板材の裏面側に、不透光性または半透光性の金属調反射層が、前記照明部と対向する光透過部を除いて形成されたことを特徴とする。
【発明の効果】
【０００８】
本発明によれば、上記構成によって、以下のような作用効果を得ることができる。
即ち、照明用光源からの光は、基板材の裏面側に部分的に形成された光透過部を通過し、基板材の内部を通って基板材の手前面側に形成された表示部へ到達する。表示部に到達した直接光は、一部が半透光性の透過反射層および透光性の照明部を通って基板材の手前面側へ抜けると共に、残りが半透光性の透過反射層および不透光性の縁取部によって遮られる。これにより、表示部を、照明部が透過照明されると共に、照明部の周囲を縁取部で縁取ったように見せることができる。
そして、半透光性の透過反射層および不透光性の縁取部で遮られた照明用光源からの光は、裏面側の金属調反射層へ向けて反射され、更に、金属調反射層で手前面側へ反射されて、表示部における縁取部の周囲の部分から基板材の手前面側へ通り抜けることになる。これによって、表示部の縁取部の周囲の部分を金属調に照明することができる。以って、夜間などの照明時においても、背景が金属調であるかのように視認させることができる。
【図面の簡単な説明】
【０００９】
【図１】本発明の実施例にかかる照明装置の正面図である。
【図２】図１の断面図である。
【図３】図１のこの実施例の効果を示す、照明装置の部分拡大正面図である。
【図４】光拡散部の一例（レンズ部）を示す部分拡大断面図である。
【図５】光拡散部の他の例（マイクロレンズ）を示す部分拡大断面図である。
【発明を実施するための形態】
【００１０】
以下、本実施の形態を、図面を用いて詳細に説明する。
図１〜図３は、この実施の形態を説明するためのものである。
【実施例１】
【００１１】
＜構成＞以下、この実施例の構成について説明する。
自動車などの車両の車室内に計器装置を設ける。この計器装置を、図１の正面図、図２の断面図に示すように、夜間照明や加飾照明が可能な照明装置１とする。
また、上記した照明装置１は、少なくとも、透過照明が可能な表示部２を有する透明な基板材３と、この基板材３の裏面側に配設された照明用光源４と、を備えたものとされる。
【００１２】
ここで、上記した計器装置は、文字板と、この文字板の表面に沿って回動可能な指針Ｎとを有するものとされる。上記した照明装置１は、計器装置の文字板を照明するためのもの（文字板照明装置）とされる。そして、上記基板材３は、文字板を構成するもの（文字板基材）とされる。上記表示部２は、目盛や数値などの指標部や、計器装置の種類や表示単位などを示す文字表示（例えば、回転計であることを間接的に示す「×１０００ｒ／ｍｉｎ」（図３参照））などの表示を行うものとされる。上記した「基板材３」は、樹脂製のものとされる。上記した「照明用光源４」には、ＬＥＤなどが使用される。
【００１３】
そして、上記構成に対し、この実施例では、以下のようにしている。
【００１４】
（１）上記表示部２が、上記基板材３の手前面側に形成された透光性の照明部１１と、この照明部１１の周囲を取り囲む不透光性の縁取部１２と、を有するものとされる。また、表示部２の裏側に半透光性の透過反射層１３が形成される。
更に、上記基板材３の裏面側に、不透光性または半透光性の金属調反射層１４が、上記照明部１１と対向する光透過部１５を除いて形成される。
【００１５】
ここで、上記した「縁取部１２」は、例えば、黒色印刷層などとすることができる。また、上記した「透過反射層１３」は、白色印刷層などとすることができる。透過反射層１３は、縁取部１２からハミ出さないように形成される。透過反射層１３と縁取部１２とは、基板材３の手前面側に順に形成される。
【００１６】
そして、上記した「金属調反射層１４」は、主に、シルバー印刷などのミラー印刷層を有するものとされる。金属調反射層１４の手前側には、金属面の表面模様（例えば、ヘアーラインやスピン模様など）を模した透明な模様印刷層１６を施すことができる。ミラー印刷層の裏面側には、必要に応じて、黒色印刷などの不透過層１７を施すことができる。模様印刷層１６と金属調反射層１４と不透過層１７とは、基板材３の裏面側に順に形成される。上記した「光透過部１５」は、基本的に、照明部１１と同じ大きさにする。但し、照明用光源４からの光Ｌの光量によって、光透過部１５を、照明部１１よりも大きくしたり、小さくしたり調整・設定することは可能である。
【００１７】
（２）上記縁取部１２が、上記基板材３の板厚ｔよりも広い幅寸法ｗを有するものとされる（ｔ≦ｗ）。
【００１８】
ここで、「基板材３の板厚ｔ」は、概ね、０．５ｍｍ〜１．０ｍｍ程度のものとされる。ここでは、「よりも広い」は、「同じか、または、それよりも広い」の意味を有するものとする。
【００１９】
（３）上記基板材３の手前面または上記透過反射層１３に、基板材３の裏面側へ向けて反射された光Ｌを拡散させる光拡散部３１を設けることができる。
【００２０】
ここで、光拡散部３１は、図４に示すように、基板材３の手前面（における縁取部１２の部分）を僅かに凹ませることによってレンズ効果を持たせたレンズ部３２とすることができる。レンズ部３２は、得ようとする光Ｌの拡散効果に応じて、その大きさや深さを任意に設定することができる。また、光拡散部３１は、図５に示すように、透過反射層１３を、表面張力などで半球状とされたマイクロサイズのドットからなるマイクロドット印刷にすることによって形成する（マイクロレンズ３３とする）ことができる。
【００２１】
＜作用効果＞この実施例によれば、以下のような作用効果を得ることができる。
【００２２】
上記した計器装置は、文字板の表面に沿って回動する指針Ｎが指し示す目盛や数値を読むことにより、運転情報を読み取ることができる。そして、夜間などに照明用光源４を点灯することにより、計器装置の文字板を照明することができる。
【００２３】
この際、昼間は外光によって文字板全体が照らされるため、文字板（基板材３の背景）が金属調に見える。
【００２４】
また、夜間照明時に照明用光源４を点灯すると、以下のように、基板材３の背景の少なくとも一部を金属調に見せることができる（図３参照）。
【００２５】
（１）照明用光源４からの光Ｌは、基板材３の裏面側に部分的に形成された光透過部１５を通過し、基板材３の内部を通って基板材３の手前面側に形成された表示部２へ到達する。表示部２に到達した直接光（光Ｌ）は、一部が半透光性の透過反射層１３および透光性の照明部１１を通って基板材３の手前面側へ抜けると共に、残りが半透光性の透過反射層１３および不透光性の縁取部１２によって遮られる。これにより、表示部２を、照明部１１が透過照明されると共に、照明部１１の周囲の部分を縁取部１２で縁取ったように見せることができる。
そして、半透光性の透過反射層１３および不透光性の縁取部１２で遮られた照明用光源４からの光Ｌは、裏面側の金属調反射層１４へ向けて反射され、更に、金属調反射層１４で手前面側へ反射されて、表示部２における縁取部１２の周囲の部分から基板材３の手前面側へ通り抜けることになる。これによって、表示部２の縁取部１２の周囲を金属調に照明することができる。以って、夜間などの照明時においても、背景が金属調であるかのように視認させることができる。
【００２６】
（２）縁取部１２を、基板材３の板厚ｔよりも広い幅寸法ｗにした。これにより、光透過部１５を通過した照明用光源４からの直接光（光Ｌ）が、基板材３の内部で広がって表示部２に到達しても、縁取部１２を直接光（光Ｌ）の広がり範囲よりも大きなものとすることができるので、即ち、縁取部１２が光透過部１５からの直接光（光Ｌ）を遮蔽可能な幅寸法ｗを有するものとなるので、直接光（光Ｌ）が縁取部１２の周囲を通って基板材３の手前面側へ直接抜けてしまうようなことが有効に防止される。即ち、縁取部１２によって、直接光（光Ｌ）の光漏れを積極的にカットすることができる。そのため、光漏れによって、金属調の背景や縁取部１２の輪郭がボケたり、表示部２の照明が見づらくなったりするようなことが防止でき、例えば、薄暮時のような視認し難い時間帯などであっても、表示部２の照明や輪郭を明瞭に見せることが可能となる。
【００２７】
また、縁取部１２の幅寸法ｗを大きくすることにより、縁取部１２の裏面側の透過反射層１３も大きくすることができるので、より多くの光Ｌを裏面側の金属調反射層１４へ向けて反射することができるようになり、金属調の背景の照明範囲を、より広くしたり明瞭化したりすることができる。
【００２８】
（３）基板材３の手前面または透過反射層１３に光拡散部３１を設けた。これにより、光拡散部３１で照明用光源４からの直接光（光Ｌ）を拡散させて、（基板材３の裏面側の）金属調反射層１４のより広い範囲へ向けて反射させることができる。よって、金属調の背景の照明範囲を、更に広くしたり明瞭化したりすることができる。
【００２９】
以上、この発明の実施例を図面により詳述してきたが、実施例はこの発明の例示にしか過ぎないものである。よって、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００３０】
１    照明装置
２    表示部
３    基板材
４    照明用光源
１１  照明部
１２  縁取部
１３  透過反射層
１４  金属調反射層
１５  光透過部
３１  光拡散部
ｔ    板厚
ｗ    幅寸法
Ｌ    光
【図１】
2015145964.tif 000003
【図２】
2015145964.tif 000004
【図３】
2015145964.tif 000005
【図４】
2015145964.tif 000006
【図５】
2015145964.tif 000007